(57)【要約】本発明は、例えば自動車や列車、航空機などの乗り物の床面に敷設されるカーペットやマット、建物の室内や廊下の床面に敷設されるカーペットやマットなどに適用される防音カーペットの製造方法及び製造装置に関するものであり、バッキング層を形成し、次いで、前記バッキング層に貫通孔を穿設し、この後、前記バッキング層に繊維基材を溶着することを特徴とする。
2004091350.tif 000002
【特許請求の範囲】
【請求項１】
バッキング層を形成し、次いで、前記バッキング層に貫通孔を穿設し、この後、前記バッキング層に繊維基材を溶着することを特徴とする吸音カーペットの製造方法。
【請求項２】
バッキング層の形成と同時にスパイクを形成することを特徴とする請求項１記載の防音カーペットの製造方法。
【請求項３】
バッキング層を形成し、次いで、前記バッキング層に貫通孔を穿設すると同時に前記バッキング層に繊維基材を溶着することを特徴とする吸音カーペットの製造方法。
【請求項４】
バッキング層に貫通孔を穿設すると同時にスパイクを形成すると共に前記バッキング層に繊維基材を溶着するすることを特徴とする請求項３記載の防音カーペットの製造方法。
【請求項５】
バッキング層を形成し、次いで、第２のバッキング層を形成して前記バッキング層に積層し、次いで、前記バッキング層と第２のバッキング層とに貫通孔を穿設し、この後、前記第２のバッキング層に繊維基材を溶着することを特徴とする吸音カーペットの製造方法。
【請求項６】
バッキング層の形成と同時にスパイクを形成することを特徴とする請求項５記載の防音カーペットの製造方法。
【請求項７】
バッキング層を形成し、次いで、第２のバッキング層を形成して前記バッキング層に積層し、次いで、前記バッキング層と第２のバッキング層とに貫通孔を穿設すると同時に前記第２のバッキング層に繊維基材を溶着することを特徴とする吸音カーペットの製造方法。
【請求項８】
バッキング層と第２のバッキング層とに貫通孔を穿設すると同時に前記バッキング層にスパイクを形成すると共に第２のバッキング層に繊維基材を溶着することを特徴とする請求項５記載の防音カーペットの製造方法。
【請求項９】
バッキング層を形成するための樹脂押出機をロール上方に配したバッキング層形成ロールと、前記バッキング層形成ロールとの間で前記バッキング層と繊維基材とを圧着してバッキング層に繊維基材を溶着する溶着ロールとを備えた吸音カーペットの製造装置において、
前記バッキング層形成ロール上方に前記樹脂押出機から離隔して前記バッキング層に貫通孔を穿設するピン付きロールを配設したことを特徴とする吸音カーペットの製造装置。
【請求項１０】
バッキング層が連続気泡構造の発泡樹脂からなることを特徴とする請求項９記載の防音カーペットの製造装置。
【請求項１１】
バッキング層形成ロール上面にスパイクを形成するための穴を凹設したことを特徴とする請求項９記載の吸音カーペットの製造装置。
【請求項１２】
バッキング層形成ロール上方のバッキング層を形成するための樹脂押出機とバッキング層に貫通孔を穿設するピン付きロールとの間に第２のバッキング層を形成するための第２の樹脂押出機を配設したことを特徴とする請求項９記載の吸音カーペットの製造装置。
【請求項１３】
第２のバッキング層が連続気泡構造の発泡樹脂からなることを特徴とする請求項１２記載の防音カーペットの製造装置。
【請求項１４】
バッキング層を形成するための樹脂押出機をロール上方に配設したバッキング層形成ロールと、前記バッキング層形成ロールとの間で前記バッキング層と繊維基材とを圧着してバッキング層に繊維基材を溶着する溶着ロールとを備えた吸音カーペットの製造装置において、
前記バッキング層形成ロール上面に前記バッキング層に貫通孔を穿設するピンを突設したことを特徴とする吸音カーペットの製造装置。
【請求項１５】
バッキング層形成ロール上面にバッキング層に貫通孔を穿設するピンを突設すると共にバッキング層にスパイクを形成するための穴を凹設したことを特徴とする請求項１４記載の吸音カーペットの製造装置。
【請求項１６】
バッキング層形成ロール上方のバッキング層を形成するための樹脂押出機から離隔して第２のバッキング層を形成するための第２の樹脂押出機を配設したことを特徴とする請求項１４記載の吸音カーペットの製造装置。
【請求項１７】
バッキング層及び第２のバッキング層が連続気泡構造の発泡樹脂からなることを特徴とする請求項１４〜１６のいずれかに記載の防音カーペットの製造装置。
【発明の詳細な説明】
【技術分野】  本発明は、例えば自動車や列車、航空機などの乗り物の床面に敷設されるカーペットやマット、或いは建物の室内や廊下の床面に敷設されるカーペットやマットなどに適用される吸音カーペットの製造方法及び製造装置に関し、詳細には優れた吸音効果を有する吸音カーペットの製造方法及び製造装置に関する。
【背景技術】  従来、例えば自動車床面上には、フェルト層や不織布層を有して吸音性能に優れる床カーペットが敷かれ、この床カーペット上には、不織布からなる基布にパイルを打ち込んだ繊維基材と、この繊維基材裏面に形成したバッキング層とからなる自動車用マットが載置されていた。
ところが、自動車用マットにおけるバッキング層は、塩化ビニル樹脂などの合成樹脂からなり、遮音層として機能するようになっていたので、当該自動車用マットを床カーペット上に載置した場合、風切り音やエンジンルームからの騒音は、自動車用マットのバッキング層によって跳ね返されてしまい、騒音についての十分な対策がなされていなかった。
また、建物の室内や廊下の床面に敷設されるカーペットやマットについても同様に、繊維基材裏面にはバッキング層が設けられており、このバッキング層が遮音層となっていて、カーペット上面から伝播する騒音については、これを跳ね返してしまい、十分な吸音対策がなされていなかった。
本発明者は、このような事情に鑑み鋭意研究の結果、さらに優れた吸音性能を有する防音カーペットを提供している（特開２００２−２３８７３０号公報の第１〜３頁、図１〜３参照）。
この防音カーペットは、「繊維基材の裏面側にバッキング層を形成した防音カーペットであって、当該防音カーペットに、その表裏を貫通する多数の貫通孔を形成したことを特徴とする防音カーペット」を要旨とするものである。
【発明の開示】
本発明者は、上記カーペットの表裏を貫通する多数の貫通孔を形成した吸音効果を有する防音カーペットを連続して製造することができる吸音カーペットの製造方法、及びその製造装置について鋭意検討し、本発明を完成させるに至ったものである。
すなわち本発明は、例えば自動車や列車、航空機などの乗り物の床面に敷設されるカーペットやマット、或いは建物の室内や廊下の床面に敷設されるカーペットやマットなど、様々な場所で使用することが出来る優れた吸音効果を有する吸音カーペットを連続して製造することができる吸音カーペットの製造方法及びその製造装置を提供することを目的とするものである。
上記目的を達成するため、請求項１及び２記載の発明は、図１、並びに図７〜９に示すように、バッキング層１５を形成し、次いで、前記バッキング層１５に貫通孔１６を穿設し、この後、前記バッキング層１５に繊維基材１１を溶着することを特徴とする吸音カーペット１０の製造方法をその要旨とした。
この製造方法によれば、バッキング層１５の形成と、バッキング層１５への貫通孔１６の穿設と、バッキング層１５への繊維基材１１の溶着とを一連の流れによって製造することができる。
また、この製造方法においては、バッキング層１５の形成とスパイク１５ａの形成の２つの工程を同時に行うこともでき、この場合、より効率的に防音カーペット１０を製造することができる。
請求項３及び４記載の発明は、図４、並びに図７〜９に示すように、バッキング層１５を形成し、次いで、前記バッキング層１５に貫通孔１６を穿設すると同時に前記バッキング層１５に繊維基材１１を溶着することを特徴とする吸音カーペットの製造方法を要旨とするものである。
この製造方法によれば、バッキング層１５の形成と、バッキング層１５への貫通孔１６の穿設と、バッキング層１５への繊維基材１１の溶着とを一連の流れによって製造することができると共に、バッキング層１５への貫通孔１６の穿設と前記バッキング層１５への繊維基材１１の溶着の２つの工程が同時にでき、より効率的に防音カーペット１０を製造することができる。
また、この製造方法においては、バッキング層１５に貫通孔１６を穿設すると同時にスパイク１５ａを形成すると共に前記バッキング層１５に繊維基材１１を溶着することもでき、この場合、バッキング層１５の形成とスパイク１５ａの形成とバッキング層１５への繊維基材１１の溶着の３つの工程が一度にでき、より一層効率的に防音カーペット１０を製造することができる。
請求項５及び６記載の発明は、図２及び３並びに図１０に示すように、バッキング層１５Ａを形成し、次いで、第２のバッキング層１５Ｂを形成して前記バッキング層１５Ａに積層し、次いで、前記バッキング層１５Ａと第２のバッキング層１５Ｂとに貫通孔１６を穿設し、この後、前記第２のバッキング層１５Ｂに繊維基材１１を溶着することを特徴とする吸音カーペットの製造方法を要旨とするものである。
この製造方法によれば、バッキング層１５Ａの形成、第２のバッキング層１５Ｂの形成及び前記第２のバッキング層１５Ｂのバッキング層１５Ａへの積層、前記バッキング層１５Ａと第２のバッキング層１５Ｂとへの貫通孔１６の穿設、前記第２のバッキング層１５Ｂへの繊維基材１１の溶着の各工程を一連の流れによって製造することができる。
また、この製造方法においては、バッキング層１５Ａの形成とスパイク１５ａを形成の２つ工程を同時に行うこともでき、この場合、より効率的に防音カーペット１０を製造することができる。
請求項７及び８記載の発明は、図５並びに図１０に示すように、バッキング層１５Ａを形成し、次いで、第２のバッキング層１５Ｂを形成して前記バッキング層１５Ａに積層し、次いで、前記バッキング層１５Ａと第２のバッキング層１５Ｂとに貫通孔１６を穿設すると同時に前記第２のバッキング層１５Ｂに繊維基材１１を溶着することを特徴とする吸音カーペットの製造方法をその要旨とするものである。
この製造方法によれば、バッキング層１５Ａの形成、第２のバッキング層１５Ｂの形成及び前記バッキング層１５Ａへの積層、前記バッキング層１５Ａと第２のバッキング層１５Ｂへの貫通孔１６の穿設及び前記第２のバッキング層１５Ｂへの繊維基材１１の溶着の各工程を一連の流れによって吸音カーペット２０を製造することができる。
この製造方法においては、バッキング層１５Ａと第２のバッキング層１５Ｂとに貫通孔１６を穿設すると同時に前記バッキング層１５Ａにスパイク１５ａを形成すると共に第２のバッキング層１５Ｂに繊維基材１１を溶着することもでき、この場合、バッキング層１５Ａ及び第２のバッキング層１５Ｂへの貫通孔１６の穿設、前記バッキング層１５Ａへのスパイク１５ａの形成、及び第２のバッキング層１５Ｂへの繊維基材１１の溶着といった３つの工程を同時に行うことができ、より効率的に吸音カーペット２０の製造を行うことができる。
請求項９〜１３記載の発明は、図１並びに図７〜９に示すように、バッキング層１５を形成するための樹脂押出機１１４をロール上方に配したバッキング層形成ロール１１３と、前記バッキング層形成ロール１１３との間で前記バッキング層１５と繊維基材１１とを圧着してバッキング層１５に繊維基材１１を溶着する溶着ロール１１２とを備えた吸音カーペットの製造装置１００において、
前記バッキング層形成ロール１１３上方に前記樹脂押出機１１４から離隔して前記バッキング層１５に貫通孔１６を穿設するピン付きロール１１７を配設したことを特徴とする吸音カーペットの製造装置１００をその要旨とするものである。
この製造装置１００によれば、バッキング層１５の形成と、バッキング層１５への貫通孔１６の穿設と、バッキング層１５への繊維基材１１の溶着とを一連の流れによって製造することができる。
また、この製造装置１００によれば、バッキング層形成ロール１１３上面にスパイク１５ａを形成するための穴１１３ａを凹設したことから、バッキング層１５の形成とスパイク１５ａの形成を同時に行うことができ、より効率的に吸音カーペット１０を製造することができる。
また、図２及び図３並びに図１０に示す製造装置２００の場合、バッキング層形成ロール１１３上方のバッキング層１５Ａを形成するための樹脂押出機１１４と貫通孔１６を穿設するピン付きロール１１７との間に第２のバッキング層１５Ｂを形成するための第２の樹脂押出機１１６を配設したことから、バッキング層１５Ａの形成と、第２のバッキング層１５Ｂの形成と、第２のバッキング層１５Ｂのバッキング層１５Ａへの積層と、バッキング層１５Ａ及び第２のバッキング層１５Ｂへの貫通孔１６の穿設と、第２のバッキング層１５Ｂへの繊維基材１１の溶着といった各工程を一連の流れによって製造することができる。
請求項１４〜１７記載の発明は、図４並びに図７〜９に示すように、バッキング層１５を形成するための樹脂押出機１１４をロール上方に配設したバッキング層形成ロール１１３と、前記バッキング層形成ロール１１３との間で前記バッキング層１５と繊維基材１１とを圧着してバッキング層１５に繊維基材１１を溶着する溶着ロール１１２とを備えた吸音カーペット１０の製造装置３００において、前記バッキング層形成ロール１１３上面に前記バッキング層１５に貫通孔１６を穿設するピン１１３ｂを突設したことを特徴とするものである。
この製造装置３００の場合、バッキング層形成ロール１１３上でバッキング層１５の形成と貫通孔１６の穿設とが同時に行われると共に、バッキング層１５への繊維基材１１の溶着が一連の流れによって行われるため、より効率的かつ確実な吸音カーペット２０の製造を行うことができる。
また、この製造装置３００の場合、バッキング層形成ロール１１３上面にバッキング層１５に貫通孔１６を穿設するピン１１３ｂを突設すると共にバッキング層１５にスパイク１６ａを形成するための穴１１３ａを凹設することもできる。
この場合、バッキング層形成ロール１１３上でバッキング層１５の形成、貫通孔１６の穿設及びスパイク１６ａの形成と同時にバッキング層１５への繊維基材１１の溶着が行われるため、より一層効率的かつ確実に吸音カーペット１０の製造を行うことができる。
また、図５に示す製造装置４００の場合のように、バッキング層形成ロール１１３上方のバッキング層１５Ａを形成するための樹脂押出機１１４から離隔して第２のバッキング層１５Ｂを形成するための第２の樹脂押出機１１６を配設することもできる。
この場合、バッキング層１５Ａの形成と、第２のバッキング層１５Ｂの形成と、第２のバッキング層１５Ｂのバッキング層１５Ａへの積層と、バッキング層１５Ａ及び第２のバッキング層１５Ｂへの貫通孔１６の穿設と、第２のバッキング層１５Ｂへの繊維基材１１の溶着の４つの工程を一連の流れによって吸音カーペット２０を製造することができる。
また、この製造装置４００の場合、バッキング層形成ロール１１３上面に貫通孔１６を穿設するピン１１３ｂを突設すると共にバッキング層１５Ａにスパイク１６ａを形成するための穴１１３ａを凹設していることから、バッキング層形成ロール１１３上で、バッキング層１５Ａ及び第２のバッキング層１５Ｂへの貫通孔１６の穿設及びバッキング層１５Ａへのスパイク１６ａの形成と同時にバッキング層１５Ｂへの繊維基材１１の溶着の各工程が同時に行われるため、より一層効率的かつ確実に吸音カーペット１０の製造を行うことができる。
上述の防音カーペットの製造方法及び製造装置に用いる繊維基材としては、例えば不識布、織物、編物、紙、あるいはこれらの１種若しくは２種以上を組み合わせた複合体を挙げることができる。また、図８及び１０に示すように、繊維基材１１にはパイル糸１２を所定のボリュームとなるように打ち込んで意匠性を高めることもできる。この繊維基材１１は、上記のごとき多孔質な素材を使用しているので、この繊維基材の中を音が通過する過程で摩擦熱として減衰し、吸音されるようになっている。
また、図７〜１０に示すように、繊維基材１１の内側には別の繊維基材１３を設けることもできる。内側繊維基材１３としては、繊維基材１１と同じく、例えば不織布、織物、編物、紙、あるいはこれらの１種若しくは２種以上を組み合わせた複合体を挙げることができる。図６〜８の例ではパイル糸１２を打ち込んだ繊維基材１１の裏面に後述の透孔性接着シート１４を介して内側繊維基材１３が接着されている。この内側繊維基材１３についても、繊維基材１１と同じく多孔質な素材を使用しているので、この内側繊維基材１３の中を音が通過する過程で摩擦熱として減衰し、吸音されるようになっている。
尚、透孔性接着シート１４には、蜘蛛の巣状接着剤からなり、接着時の熱およびまたは圧力で薄膜化されて成るもの、ホットメルト樹脂などの接着樹脂中に発泡剤を入れて混練、シート化したものなどを挙げることができる。図６〜８の例では、パイル糸１２を打ち込んだ繊維基材１１と内側繊維基材１３との間に蜘蛛の巣状接着剤１４を挟み込んで熱プレスすることで、繊維基材１１と内側繊維基材１３とを接着すると共に、その接着時の熱およびまたは圧力で蜘蛛の巣状の透孔性接着シート１４は薄膜（フィルム）状となっている。
図１０の例では、パイル糸１２を打ち込んだ繊維基材１１と内側繊維基材１３ａとの間並びに内側繊維基材１３ａと内側繊維基材１３ｂとの間に、それぞれ蜘蛛の巣状接着剤１４を挟み込んで熱プレスすることで、繊維基材１１と内側繊維基材１３ａ並びに内側繊維基材１３ａと内側繊維基材１３ｂとを接着すると共に、その接着時の熱およびまたは圧力で蜘蛛の巣状の透孔性接着シート１４は薄膜（フィルム）状となっている。
このため、透孔性接着シート１４は、多孔質な繊維基材１１に支持されて自由振動可能な状態に置かれる（繊維基材１１の内側に別の繊維基材１３を設けた場合、透孔性接着シート１４は、図７〜９に示すように繊維基材１１と内側繊維基材１３（図１０に示すように繊維基材１１と内側繊維基材１３ａ並びに内側繊維基材１３ａと内側繊維基材１３ｂ）とに支持されて自由振動可能な状態に置かれる。）。このため、繊維基材１１を透過した音が、この透孔性接着シート１４に当たり、透孔を通して通過する過程で、該透孔性接着シート１４が自由振動し、音の減衰、吸音がなされるようになっている。また、この透孔性接着シート１４は、上述の接着、吸音という機能の他に、パイル糸１２を打ち込んだ繊維基材１１を使用する場合には、パイル糸１２の抜け止め材としても機能するようになっている。
尚、上記の製造方法及び製造装置によって製造される防音カーペットにおけるバッキング層を構成する樹脂としては、例えば、スチレン−ブタンジエン−スチレン共重合体、アクリルニトリル−ブタジエン系共重合体、ウレタン樹脂等の高分子、スチレン−ブタンジエンゴム、アクリルニトリル−ブタンジエンゴム、ブタンジエンゴム、天然ゴム、イソプレンゴム等のゴム高分子、またはこれらを複数種混合したもの等を例示することができる。
また樹脂には、例えば脂肪酸石けん、アルキルアリルスルホン酸ナトリウム、高級アルコール硫酸エステルナトリウム、Ｎ−オクタデシルスルホコハク酸モノアミドジナトリウム等の発泡剤を加えることができる。
また樹脂には、必要に応じて充填剤、増粘剤、分散剤を加えてもよい。充填剤としては、例えば、ポリアクリル酸ソーダ、カルボキシメチルセルローズ、タルク、水酸化アルミニウム、酸化アンチモンなどが例示できる。増粘剤としては、例えばポリアクリル酸ソーダ、カルボキシメチルセルローズ、ポリビニルアルコール、カゼイン、発酵多糖類等が挙げられるが、好ましくは低分子量のポリアクリル酸ソーダである。分散剤としては、例えばトリポリリン酸ソーダ、ヘキサメタリン酸ソーダ等が例示できる。
図７〜１０に示すように、上記の製造方法及び製造装置によって製造される防音カーペット１０又は２０は、繊維基材１１裏面に多数の貫通孔１６が貫通しているバッキング層１５（１５Ａ及び１５Ｂ）が溶着した構造となる。この防音カーペット１０又は２０において、バッキング層１５（１５Ａ及び１５Ｂ）は、繊維基材１１の裏面（繊維基材１１の内側に別の繊維基材１３（１３ａ及び１３ｂ）を設けた場合、内側繊維基材１３（１３ａ及び１３ｂ）の裏面）に形成され、該カーペット１０の補強および保形、すべり止めを行うようになっている。また、このバッキング層１５（１５Ａ及び１５Ｂ）の裏面には多数のズレ止め用の突起１５ａが設けられている。
また、この製造装置によって製造された防音カーペット１０又は２０におけるバッキング層１５、１５Ａ、１５Ｂとしては、発泡樹脂からなり、連続気泡構造を有するものが望ましい。というのは、バッキング層１５、１５Ａ、１５Ｂとしては、発泡樹脂からなり、連続気泡構造を有する場合、繊維基材１１からの音は、バッキング層１５、１５Ａ、１５Ｂ内に微細孔１５ｂ内で衝突を繰り返し、音の減衰がなされるようになっている。
また、このバッキング層１５、１５Ａ、１５Ｂには多数の貫通孔１６が貫通しているため、図９に示すように、バッキング層１５内の互いに連通する微細孔１５ｂが貫通孔１６に開口し、各貫通孔１６内面に微細孔と繋がる無数の吸音穴１６ａが形成されことになる。このため、貫通孔１６に浸入してきた音は、貫通孔１６内に開口している吸音穴１６ａを通じて、バッキング層１５全体に広がる無数の微細孔１６ｂへと広がり、再び衝突を繰り返すことになり、より効果的な音の減衰がなされるようになっている。
【図面の簡単な説明】  図１は、本発明の吸音カーペットの製造装置を側面から見た模式図である。
図２は、本発明の別の吸音カーペットの製造装置を側面から見た模式図である。
図３は、同じく図２に示す吸音カーペットの製造装置の斜視図である。
図４は、本発明のさらに別の吸音カーペットの製造装置を側面から見た模式図である。
図５は、本発明のさらに別の吸音カーペットの製造装置を側面から見た模式図である。
図６ａは、ピン付きロールの斜視図である。
図６ｂは、ピン付きロールのピンとこれにより穿設される貫通孔の形状を示す斜視図である。
図６ｃは、ピン付きロールのピンの別の形態とこれにより穿設される貫通孔の形状を示す斜視図である。
図７は、本発明の製造装置により製造される防音カーペットの要部拡大組み立て斜視図である。
図８は、同じく防音カーペットの要部拡大断面図である。
図９は、図８に示す防音カーペットのバッキング層を示す要部拡大断面図である。
図１０は、本発明の製造装置により製造される防音カーペットの別例を示す要部拡大断面図である。
図１１ａは、本発明の防音カーペットにおけるバッキング層に貫通する孔のパターンを示す平面図である。
図１１ｂは、本発明の防音カーペットにおけるバッキング層に貫通する孔の別パターンを示す平面図である。
【発明を実施するための最良の形態】  以下、本発明の防音カーペットの製造方法及び製造装置を図面に示した一実施の形態に従って詳細に説明する。図１並びに図７〜９に示すように、本発明の吸音カーペットの製造装置１００は、ロール上方にバッキング層１５を形成するための樹脂押出機１１４を配したバッキング層形成ロール１１３と、前記バッキング層形成ロール１１３との間で前記バッキング層１５と繊維基材１１とを圧着してバッキング層１５に繊維基材１１を溶着する溶着ロール１１２と、前記バッキング層１５に繊維基材１１を溶着した防音カーペット１０を引き取るための引き取りロール１１１とを備えている。
バッキング層形成ロール１１３上方の樹脂押出機１１４より押し出された樹脂は、樹脂押出機１１４に隣接して配設されたカレンダーロール１１５によって圧延されてバッキング層１５が形成される。また、バッキング層形成ロール１１３の上面にはスパイク１５ａを形成するための多数の溝穴１１３ａが設けられており、この溝穴１１３ａ内に樹脂押出機１１４からの溶融した樹脂がカレンダーロール１１５によって圧入され、バッキング層１５の形成と同時にスパイク１５ａが形成されるようになっている。
尚、樹脂押出機１１４から発泡樹脂を押し出す場合、発泡樹脂層内の機構構造を破壊しないようにするため、その押出は低圧で行われる。また、このバッキング層形成ロール１１３は１０〜５０℃に加熱されるようになっている。これは溶融した樹脂がバッキング層形成ロール１１３表面の溝穴１１３ａに圧入された時、急激に冷却されることがなく、スパイク１５ａの形成を助成するための加熱である。
また、この製造装置１００において、バッキング層形成ロール１１３上方には、カレンダーロール１１５に隣接してピン付きロール１１７が配設されている。このピン付きロール１１７によってバッキング層１５に貫通孔１６が穿設されるのである。また、バッキング層形成ロール１１３上方には加熱用ヒーター１１８が配設されており、貫通孔１６が穿設されたバッキング層１５を繊維基材１１との溶着に先だって加熱し、その表面を溶融状態とするようになっている。
この場合、発泡樹脂層内の気孔構造を破壊しないようにするため、溶着加熱ヒーター１１８でバッキング層１５側を加熱するときの温度は７０〜２１０度（好ましくは７０〜１５０度）である。
一方、溶着ロール１１２によって供給される繊維基材１１は、溶着ロール１１２上方に設けたカーペット加熱用ヒーター１１９で加熱され、この状態で表面が溶融されたバッキング層１５と積層され、バッキング層１５と繊維基材１１は溶着ロール１１２とバッキング層形成ロール１１３との間で圧着され溶着されるようになっている。
この後、繊維基材１１にバッキング層１５が溶着された吸音カーペット１０は引き取りロール１１１により引き取られていく。
次に、図２及び３並びに図１０に示す吸音カーペットの製造装置２００について説明する。この製造装置２００は、バッキング層形成ロール１１３上方のカレンダーロール１１５とピン付きロール１１７との間に第２のバッキング層１５Ｂを形成するための第２の樹脂押出機１１６を配設している。
この場合も、図１の製造装置１００と同じくバッキング層形成ロール１１３表面にはバッキング層１５Ａ裏面側にスパイク１５ａを形成するための多数の溝穴１１３ａが設けられている。このため、前記バッキング層形成ロール１１３の上方の樹脂押出機１１４より押し出された樹脂は、バッキング層形成ロール１１３の上面の樹脂押出機１１４に隣接して配設されたカレンダーロール１１５によって圧延されて、バッキング層１５Ａの形成とスパイク１５ａの形成とが同時に行われるようになっている。
また、バッキング層形成ロール１１３上方には、カレンダーロール１１５に隣接してピン付きロール１１７との間に第２のバッキング層１５Ｂを形成するための第２の樹脂押出機１１６が配設されている。このため、スパイク１５ａが形成されたバッキング層１５Ａの上面には第２樹脂押出機１１６から樹脂が押し出されて第２のバッキング層１５０Ｂが形成されることになる。
尚、上述の樹脂押出機１１４及び第２樹脂押出機１１６における加熱温度は使用する樹脂の種類によって異なっているが、原料供給路１２０及び第２の原料供給路１２１よりそれぞれ樹脂押出機１１４及び第２樹脂押出機１１６に供給された樹脂原料を約１００度〜２２０度に加熱して溶融させて、この状態で押し出していくのである。尚、樹脂押出機１１４並びに第２の樹脂押出機１１６から発泡樹脂を押し出す場合、発泡樹脂層内の気孔構造を破壊しないようにするため、その押出は低圧で行われる。
次いで、バッキング層１５Ａとこの上面に積層された第２のバッキング層１５Ｂは、バッキング層形成ロール１１３上方に第２の樹脂押出機１１６に隣接して配設されたピン付きロール１１７によって貫通孔１６が穿設される。
また、このピン付きロール１１７は、バッキング層１５Ａと第２のバッキング層１５Ｂに貫通孔１６を穿設すると同時に、バッキング層形成ロール１１３上面に圧接し、この圧力によってバッキング層１５Ａと第２のバッキング層１５Ｂの溶着が行われる。
また、バッキング層形成ロール１１３上方には加熱用ヒーター１１８が配設されており、貫通孔１６が穿設された第２のバッキング層１５Ｂを繊維基材１１との溶着に先だって加熱し、その表面を溶融状態とするようになっている。この場合、発泡樹脂層内の気孔構造を破壊しないようにするため、溶着加熱ヒーター１１８でバッキング層１５側を加熱するときの温度は７０〜２１０度が好ましい（より好ましくは７０〜１５０度である）。
一方、溶着ロール１１２によって供給される繊維基材１１は、溶着ロール１１２上方に設けたカーペット加熱用ヒーター１１９で加熱され、この状態で前述の表面が溶融された第２のバッキング層１５Ｂと積層され、バッキング層１５Ａ及び第２のバッキング層１５Ｂと繊維基材１１は、溶着ロール１１２とバッキング層形成ロール１１３との間で圧着され、第２のバッキング層１５Ｂ側に繊維基材１１が溶着されるようになっている。
この後、繊維基材１１にバッキング層１５Ａ及び１５Ｂが溶着した吸音カーペット１０が引き取りロール１１１により引き取られていく。
次に、図４並びに図７〜９に示す形態を説明する。図４に示す製造装置３００は、図１〜３に示す製造装置１００、２００をさらに改良し、より効率的、かつ確実に吸音カーペット２０の製造ができるようにしたものである。この製造装置３００は、バッキング層１５を形成するための樹脂押出機１１４をロール上方に配設したバッキング層形成ロール１１３と、前記バッキング層形成ロール１１３との間で前記バッキング層１５と繊維基材１１とを圧着してバッキング層１５に繊維基材１１を溶着する溶着ロール１１２とを備えており、前記バッキング層形成ロール１１３上面に前記バッキング層１５に貫通孔１６を穿設するピン１１３ｂを突設したことに特徴づけられたものである。
この製造装置３００の場合、バッキング層形成ロール１１３上方に配設された樹脂押出機１１４からの樹脂は、多数のピン１１３ｂが突設するバッキング層形成ロール１１３上面に押し出される。
一方、表面にゴム層１１２ａが形成された溶着ロール１１２によって供給される繊維基材１１は、カーペット加熱用ヒーター１１９で加熱され、この状態でバッキング層形成ロール１１３との圧接位置まで移動し、バッキング層形成ロール１１３上面の樹脂と共にバッキング層形成ロール１１３と溶着ロール１１２との間に圧着されることになる。
この圧着時に、樹脂押出機１１４からの樹脂が圧延されてバッキング層１５が形成される共にこのバッキング層１５に貫通孔１６が形成され、同時にこのバッキング層１５に繊維基材１１が溶着されるようになっている。
また、この製造装置３００の場合、バッキング層形成ロール１１３上面にはバッキング層１５に貫通孔１６を穿設するピン１１３ｂを突設すると共にバッキング層１５にスパイク１６ａを形成するための溝穴１１３ａが凹設されている。このため、樹脂押出機１１４からの樹脂は、溶着ロール１１２とバッキング層形成ロール１１３とに圧延されてバッキング層１５が形成されるのと同時に、このバッキング層１５にはスパイクと貫通孔とが形成され、同時にバッキング層１５に繊維基材１１が溶着されるようになっている。そして、バッキング層１５に繊維基材１１が溶着された防音カーペット１０が引き取りロール１１１によって引き取られるようになっている。
また、図５に示す製造装置４００の場合、バッキング層形成ロール１１３上方のバッキング層１５Ａを形成するための樹脂押出機１１４から離隔して第２のバッキング層１５Ｂを形成するための第２の樹脂押出機１１６が配設されている。
この製造装置４００の場合、バッキング層形成ロール１１３上方に配設された樹脂押出機１１４からの樹脂は、多数のピン１１３ｂが突設するバッキング層形成ロール１１３上面に押し出される。さらに、この樹脂上面に樹脂押出機１１４から離隔して配設された第２の樹脂押出機１１６から樹脂が押し出される。
一方、表面にゴム層１１２ａが形成された溶着ロール１１２によって供給される繊維基材１１は、カーペット加熱用ヒーター１１９で加熱され、この状態でバッキング層形成ロール１１３との圧接位置まで移動し、バッキング層形成ロール１１３上面の樹脂押出機１１４及び第２の樹脂押出機１１６からの樹脂と共にバッキング層形成ロール１１３と溶着ロール１１２との間に圧着されることになる。
この圧着時に、樹脂押出機１１４からの樹脂が圧延されてバッキング層１５Ａが形成され、この上面に押し出された積層樹脂押出機１１６からの樹脂が圧延されて第２のバッキング層１５Ｂが積層状態に形成されることになる。同時にこの圧着時には、バッキング層１５Ａ及び第２のバッキング層１５Ｂに貫通孔１６が形成されると共に、このバッキング層１５Ｂに繊維基材１１が溶着されるようになっている。
また、この製造装置４００の場合、バッキング層形成ロール１１３上面にはバッキング層１５に貫通孔１６を穿設するピン１１３ｂを突設すると共にバッキング層１５にスパイク１６ａを形成するための溝穴１１３ａが凹設されている。このため、樹脂押出機１１４及び第２の樹脂押出機１１６からの樹脂は、それぞれ溶着ロール１１２とバッキング層形成ロール１１３とに圧延されてバッキング層１５Ａ及び第２のバッキング層１５Ｂが積層状態に形成されるのと同時に、このバッキング層１５にはスパイク１５ａと貫通孔１６とが形成され、さらにバッキング層１５Ｂに繊維基材１１が溶着されるようになっている。
上述の図１〜図３に示す製造装置１００、２００におけるピン付きロール１１７（図６ａ）におけるピン並びに図４〜図５に示す製造装置３００、４００におけるバッキング層形成ロール１１３上面のピン１１３ｂの形態について説明する。ピンの形状としては特に限定されず任意である。例えば図６ｂに示すように丸型のピン１２２をロール表面に取り付けた場合は、丸型の貫通孔１２３が形成され、図６ｃに示すように、星型のピン１２４を取り付けると、バッキング層に星型の貫通孔１２５を穿設することができる。尚、バッキング層に穿設する貫通孔の大きさ、深さ、間隔等は、カーペットの大きさ、厚さ、使用目的、用途等によって様々に異なるので、ピン付きロール１１７並びにバッキング層形成ロール１１３上面のピン形状は、これらを考慮して適宜変更してこれに対応するのが望ましい。尚、図１〜図５に示す製造装置１００、２００、３００、４００、５００では、いずれも直径が約１．５ｍｍの丸型の貫通孔１６が穿設されるようにした。
また、図６ａ、図６ｂ、図６ｃ、並びに図１１ａ、図１１ｂに示すように、ピン付きロール１１７のピン１２２、１２４、バッキング層形成ロール１１３上面のピン１１３ｂの配置（貫通孔１６、１２３、１２５の配置パターン）は任意であり、例えば図１１ａに示すように、貫通孔１６が縦横等間隔となるように形成してもよく、また図１１ｂに示すように、縦横等間隔に形成した貫通孔１６の隙間に別の貫通孔１６を形成することもできる。どのようなパターンとするかは、当該防音カーペット１０又は２０の種類や用途、使用状態を考慮して適宜決定すればよい。
図１及び図４に示す製造装置１００、３００において、バッキング層１５に溶着される繊維基材１１は、目付３００ｇ／ｍ２のポリエステル不織布にパイル糸１２を打ち込んだものであり、さらにこの内側には別の繊維基材１３として、目付３００ｇ／ｍ２のポリエステル不織布１２からなるものを配している。
また、図７〜９に示すように、この繊維基材１１は、内側繊維基材１３との間に蜘蛛の巣状のウレタン系湿気硬化型接着剤（透孔性接着シート１４）を挟み込んでプレスすることで、繊維基材１１と内側繊維基材１３とを接着すると共に、接着時の圧力で蜘蛛の巣状接着剤１４を薄膜化させている。
図２及び３並びに図５に示す製造装置２００、４００においては、繊維基材１１の内側に目付の異なる２枚の内側繊維基材、すなわち目付２００ｇ／ｍ２のポリエステル不織布からなる第１の内側繊維基材１３ａと、目付３５０ｇ／ｍ２のポリエステル不織布からなる第２の内側繊維基材１３ｂとを厚みの異なる透孔性接着シート１４を介してそれぞれ配している。
この場合、図１０に示すように、繊維基材１１裏面側に透過した音が、まず薄い透孔性接着シート１４を透過し、その後、粗い目付の第１の内側繊維基材１３ａを通過する。その後、厚い透孔性接着シート１４を透過した後、密な目付の第２の内側繊維基材１３ｂを通過することになり、４段階で種類の異なる音の吸収がなされるようになっており、より効果的な吸音が実現されるようになっている。
尚、繊維基材または内側繊維基材の形態としては、目付が異なるだけではなく、例えば第２の内側繊維基材１３ｂの構成繊維の繊維径や繊維長を、第１の内側繊維基材１３ａの構成繊維よりも細く、短くするなど、第１の内側繊維基材１３ａおよび第２の内側繊維基材１３ｂの密度勾配の大小を用途や使用状態、要求される吸音性能に合わせて適宜調整することもできる。
図１〜５に示す製造装置１００、２００、３００、４００において、バッキング層１５（バッキング層１５Ａ及び第２のバッキング層１５Ｂ）はいずれも、スチレンブタジエンゴム（ＳＢＳ）よりなる連続気泡型の発泡樹脂層からなり、その裏面にはズレ止め用の突起１５ａが多数設けられている。
尚、本発明の範囲は、「請求の範囲」に定義されたとおりのものであり、例えば第２のバッキング層及び第２の樹脂押出機は、１つに限らず、複数のバッキング層及び樹脂押出機としたり、或いはバッキング層に繊維基材を溶着させた後にバッキング層に貫通孔を穿設したりするなど、その範囲に含まれる全ての変更、形態を採ることができる。
【図１】
2004091350.tif 000003
【図２】
2004091350.tif 000004
【図３】
2004091350.tif 000005
【図４】
2004091350.tif 000006
【図５】
2004091350.tif 000007
2004091350.tif 000008
【図７】
2004091350.tif 000009
【図８】
2004091350.tif 000010
【図９】
2004091350.tif 000011
【図１０】
2004091350.tif 000012
2004091350.tif 000013
【国際調査報告】
2004091350.tif 000014
2004091350.tif 000015